(57)【要約】【課題】燃料電池及びガスタービンを最大限の効率で運転することができる燃料電池−ガスタービン発電設備及び複合発電設備を提供する。【解決手段】空気を圧縮する圧縮機３と、圧縮機３で圧縮された圧縮空気が供給され供給された圧縮空気中の酸素と燃料とを電解質を介して電池反応させて発電する燃料電池３１と、燃料電池３１からの排空気及び未反応燃料を含む排ガスを燃焼する燃焼器１０と、燃焼器１０からの燃焼ガスが膨張されるガスタービン４と、発電機５と、圧縮機３で圧縮された圧縮空気の一部を燃焼器１０に供給するバイパス路６４とを備え、圧縮機３の圧縮比及びガスタービン４の膨張比は、圧縮空気と排気ガスの間で熱交換を行なう熱交換器が不要となる圧力比に設定する。【選択図】図２
2008078144.tif 000002
【特許請求の範囲】
【請求項１】
空気を圧縮する圧縮機と、
圧縮機で圧縮された圧縮空気が供給され供給された圧縮空気中の酸素と燃料とを電解質を介して電池反応させて発電する燃料電池と、
燃料電池からの排空気及び未反応燃料を含む排ガスを燃焼する燃焼器と、
燃焼器からの燃焼ガスが膨張されるガスタービンと、
発電機と、
圧縮機で圧縮された圧縮空気の一部を燃焼器に供給するバイパス路とを備え、
圧縮機の圧縮比及びガスタービンの膨張比は、圧縮空気と排気ガスの間で熱交換を行なう熱交換器が不要となる圧力比に設定されていることを特徴とする燃料電池−ガスタービン発電設備。
【請求項２】
請求項１に記載の燃料電池−ガスタービン発電設備において、
燃料電池は固体電解質燃料電池であり、
固体電解質燃料電池は、
容器上部の内部に設けられる燃料室と、
燃料室の下部に設けられ燃料室管板により仕切られる排ガス室と、
排ガス室の下部に設けられ排ガス室管板により仕切られる電池室と、
電池室の下部に排空気室管板により仕切られて設けられる排空気室と、
排空気室の下部に設けられ空気室管板により仕切られる空気室と、
両端が開放され上端部が燃料室に開口して配されると共に下端部が電池室に配される燃料内管と、
下端が閉じられると共に上端が開放されて燃料内管の外側に配され下部が燃料内管の開口を覆うと共に上端部が排ガス室に開口して配される多孔質状の燃料外管と、
排空気室管板に設けられる多数の排空気排出孔と、
両端が開放され上端部が電池室の上方に配され下端部が空気室に開口する空気加熱管と、
燃料外管の外周に配される電池とを備え、
燃料室に燃料が供給されることにより燃料内管を通って下端部から燃料外管に燃料が送られると共に空気室に空気が供給されることにより空気加熱管を流通して電池室に空気が送られ、
多孔質状の燃料外管の壁部を通過した燃料と空気中の酸素とが電解質を介して電池反応されて発電され、
燃料外管内の未燃燃料を含む排ガスが燃料外管を流通して排ガス室に送られると共に電池室の排空気が排空気排出孔を通過して排空気室に送られ、
空気加熱管を流通する空気が発電の反応熱により加熱されることを特徴とする燃料電池−ガスタービン発電設備。
【請求項３】
請求項２に記載の燃料電池−ガスタービン発電設備において、
固体電解質燃料電池は、
燃料外管の外壁には電池が設けられ、
燃料極が燃料を改質する改質触媒となり、
燃料改質反応による吸熱により発電の反応熱の一部を回収すると共に発電の反応熱の残りで空気加熱管を流通する空気を加熱して発電の反応熱を全て回収除去することを特徴とする燃料電池−ガスタービン発電設備。
【請求項４】
請求項１乃至請求項３のいずれか一項に記載の燃料電池−ガスタービン発電設備と、燃料電池−ガスタービン発電設備のガスタービンの排気ガスの熱回収を行って蒸気を発生させる排熱回収ボイラと、排熱回収ボイラで発生した蒸気により作動する蒸気タービンと、蒸気タービンの排気を復水する復水手段と、復水手段からの復水を排熱回収ボイラに給水する給水手段とを備えたことを特徴とする複合発電設備。
【発明の詳細な説明】
【技術分野】
【０００１】
本発明は、燃料電池（固体電解質燃料電池）とガスタービンを組み合わせた燃料電池−ガスタービン発電設備及び燃料電池−ガスタービン発電設備と蒸気タービン設備を組み合わせた複合発電設備に関する。
【背景技術】
【０００２】
燃料電池は、空気と燃料とを電解質を介して電気電池反応させて発電を行う装置であり、高い発電効率で電気エネルギーを発生させることができる。この燃料電池から排出される排出ガスの温度は高く、排出ガスの熱エネルギーをガスタービン及び蒸気タービン等のボトミングサイクルにより回収して発電に利用することにより、システム損失を小さくすることができ、高い発電効率を得ることができる。
【０００３】
特に、高温型燃料電池｛運転温度が約1000℃の固体電解質燃料電池（ＳＯＦＣ）や運転温度が約650 ℃の溶融炭酸塩燃料電池（ＭＣＦＣ）｝では排出ガスの温度が高い。このため、高温型燃料電池とガスタービンとを組み合わせたガスタービン発電設備が従来から種々開発されている（例えば、特許文献１参照）。
【０００４】
【特許文献１】特開平１１−２９７３３６号公報
【発明の開示】
【発明が解決しようとする課題】
【０００５】
燃料電池（例えば、ＳＯＦＣ）とガスタービンとを組み合わせたタービン発電設備は、高効率で発電を実施することができるものであるが、効率を更に向上させる余地は十分に存在しているのが現状である。
【０００６】
本発明は上記状況に鑑みてなされたもので、燃料電池とガスタービンとを組み合わせた燃料電池−ガスタービン発電設備において、燃料電池及びガスタービンを最大限の効率で運転することができる燃料電池−ガスタービン発電設備を提供することを目的とする。
【０００７】
また、本発明は上記状況に鑑みてなされたもので、燃料電池及びガスタービンを最大限の効率で運転することができる燃料電池−ガスタービン発電設備と蒸気タービン設備を組み合わせた複合発電設備を提供することを目的とする。
【課題を解決するための手段】
【０００８】
上記目的を達成するための第１発明の燃料電池−ガスタービン発電設備は、
空気を圧縮する圧縮機と、
圧縮機で圧縮された圧縮空気が供給され供給された圧縮空気中の酸素と燃料とを電解質を介して電池反応させて発電する燃料電池と、
燃料電池からの排空気及び未反応燃料を含む排ガスを燃焼する燃焼器と、
燃焼器からの燃焼ガスが膨張されるガスタービンと、
発電機と、
圧縮機で圧縮された圧縮空気の一部を燃焼器に供給するバイパス路とを備え、
圧縮機の圧縮比及びガスタービンの膨張比は、圧縮空気と排気ガスの間で熱交換を行なう熱交換器が不要となる圧力比に設定されていることを特徴とする。
【０００９】
また、第２発明の燃料電池−ガスタービン発電設備は、
第１発明の燃料電池−ガスタービン発電設備において、
燃料電池は固体電解質燃料電池であり、
固体電解質燃料電池は、
容器上部の内部に設けられる燃料室と、
燃料室の下部に設けられ燃料室管板により仕切られる排ガス室と、
排ガス室の下部に設けられ排ガス室管板により仕切られる電池室と、
電池室の下部に排空気室管板により仕切られて設けられる排空気室と、
排空気室の下部に設けられ空気室管板により仕切られる空気室と、
両端が開放され上端部が燃料室に開口して配されると共に下端部が電池室に配される燃料内管と、
下端が閉じられると共に上端が開放されて燃料内管の外側に配され下部が燃料内管の開口を覆うと共に上端部が排ガス室に開口して配される多孔質状の燃料外管と、
排空気室管板に設けられる多数の排空気排出孔と、
両端が開放され上端部が電池室の上方に配され下端部が空気室に開口する空気加熱管と、
燃料外管の外周に配される電池とを備え、
燃料室に燃料が供給されることにより燃料内管を通って下端部から燃料外管に燃料が送られると共に空気室に空気が供給されることにより空気加熱管を流通して電池室に空気が送られ、
多孔質状の燃料外管の壁部を通過した燃料と空気中の酸素とが電解質を介して電池反応されて発電され、
燃料外管内の未燃燃料を含む排ガスが燃料外管を流通して排ガス室に送られると共に電池室の排空気が排空気排出孔を通過して排空気室に送られ、
空気加熱管を流通する空気が発電の反応熱により加熱されることを特徴とする。
【００１０】
また、第３発明の燃料電池−ガスタービン発電設備は、
第２発明の燃料電池−ガスタービン発電設備において、
固体電解質燃料電池は、
燃料外管の外壁には電池が設けられ、
燃料極が燃料を改質する改質触媒となり、
燃料改質反応による吸熱により発電の反応熱の一部を回収すると共に発電の反応熱の残りで空気加熱管を流通する空気を加熱して発電の反応熱を全て回収除去することを特徴とする。
【００１１】
また、第４発明の複合発電設備は、第１乃至第３発明のいずれかの燃料電池−ガスタービン発電設備と、燃料電池−ガスタービン発電設備のガスタービンの排気ガスの熱回収を行って蒸気を発生させる排熱回収ボイラと、排熱回収ボイラで発生した蒸気により作動する蒸気タービンと、蒸気タービンの排気を復水する復水手段と、復水手段からの復水を排熱回収ボイラに給水する給水手段とを備えたことを特徴とする。
【発明の効果】
【００１２】
第１発明の燃料電池−ガスタービン発電設備によれば、空気を圧縮する圧縮機と、圧縮機で圧縮された圧縮空気が供給され供給された圧縮空気中の酸素と燃料とを電解質を介して電池反応させて発電する燃料電池と、燃料電池からの排空気及び未反応燃料を含む排ガスを燃焼する燃焼器と、燃焼器からの燃焼ガスが膨張されるガスタービンと、発電機と、圧縮機で圧縮された圧縮空気の一部を燃焼器に供給するバイパス路とを備えたので、燃焼器への供給空気量が増加してガスタービンの出力を向上させることができると共に、ガスタービンの入口温度を適正に調整することができる。この結果、燃料電池及びガスタービンを最大限の効率で運転することができる燃料電池−ガスタービン発電設備とすることが可能になる。
また、第１発明の燃料電池−ガスタービン発電設備によれば、圧縮機の圧縮比及びガスタービンの膨張比は、圧縮空気と排気ガスの間で熱交換を行なう熱交換器が不要となる高い圧力比に設定されているので、高圧・高温の圧縮空気を得ることができ、熱交換器等の機器を設けることなく圧縮空気を所定の作動温度にすることができる。
【００１３】
また、第２発明の燃料電池−ガスタービン発電設備によれば、第１発明の燃料電池−ガスタービン発電設備において、燃料電池は固体電解質燃料電池であり、固体電解質燃料電池は、容器上部の内部に設けられる燃料室と、燃料室の下部に設けられ燃料室管板により仕切られる排ガス室と、排ガス室の下部に設けられ排ガス室管板により仕切られる電池室と、電池室の下部に排空気室管板により仕切られて設けられる排空気室と、排空気室の下部に設けられ空気室管板により仕切られる空気室と、両端が開放され上端部が燃料室に開口して配されると共に下端部が電池室に配される燃料内管と、下端が閉じられると共に上端が開放されて燃料内管の外側に配され下部が燃料内管の開口を覆うと共に上端部が排ガス室に開口して配される多孔質状の燃料外管と、排空気室管板に設けられる多数の排空気排出孔と、両端が開放され上端部が電池室の上方に配され下端部が空気室に開口する空気加熱管と、燃料外管の外周に配される電池とを備え、燃料室に燃料が供給されることにより燃料内管を通って下端部から燃料外管に燃料が送られると共に空気室に空気が供給されることにより空気加熱管を流通して電池室に空気が送られ、多孔質状の燃料外管の壁部を通過した燃料と空気中の酸素とが電解質を介して電池反応されて発電され、燃料外管内の未燃燃料を含む排ガスが燃料外管を流通して排ガス室に送られると共に電池室の排空気が排空気排出孔を通過して排空気室に送られ、空気加熱管を流通する空気が発電の反応熱により加熱されるので、燃料電池の入口の空気温度を下げることができると共に、必要とする空気量を低減することができる。
【００１４】
また、第３発明の燃料電池−ガスタービン発電設備によれば、第２発明の燃料電池−ガスタービン発電設備において、固体電解質燃料電池は、燃料外管の外壁には電池が設けられ、燃料極が燃料を改質する改質触媒となり、燃料改質反応による吸熱により発電の反応熱の一部を回収すると共に発電の反応熱の残りで空気加熱管を流通する空気を加熱して発電の反応熱を全て回収除去するようにしたので、低温の燃料を供給しても、電池反応熱を吸熱して燃料を昇温させることができる。
【００１５】
また、第４発明の複合発電設備は、第１乃至第３発明のいずれかの燃料電池−ガスタービン発電設備と、燃料電池−ガスタービン発電設備のガスタービンの排気ガスの熱回収を行って蒸気を発生させる排熱回収ボイラと、排熱回収ボイラで発生した蒸気により作動する蒸気タービンと、蒸気タービンの排気を復水する復水手段と、復水手段からの復水を排熱回収ボイラに給水する給水手段とを備えたので、燃料電池及びガスタービンを最大限の効率で運転することができる燃料電池−ガスタービン発電設備と蒸気タービン設備を組み合わせた複合発電設備とすることが可能になる。
【発明を実施するための最良の形態】
【００１６】
燃料電池−ガスタービン発電設備の発電効率は、所定燃料供給量における燃料電池（ＳＯＦＣ）の発電効率とその排ガスおよび排空気を混合し未反応燃料を燃焼した燃焼ガスを駆動流体とするガスタービンの出力により決まる。燃料電池の効率向上には、電池室に供給する燃料及び空気の温度を改質反応および電池反応に適正な温度にすることが必要である。
【００１７】
燃料電池効率を一定とすれば、燃料電池−ガスタービン発電設備の効率は、ガスタービンの出力に依存する。即ち、ＳＯＦＣ／ガスタービン／低温熱交プラントシステムでは、プラントの高効率運転には、ＳＯＦＣの高効率運転条件を確保した上で、最大のガスタービン出力が得られるようにシステム設計および機器設計を行うことが必要である。
【００１８】
高効率達成のための作用・効果は以下の通りである。
【００１９】
（１）ＳＯＦＣの高効率化
【００２０】
燃料電池管を二重管構造として、燃料（以下、都市ガス等に用いられるメタンガスとする）は二重管内管に供給され、内管を下降する過程において電池反応熱を吸収して、内管出口において燃料改質及び電池反応に必要な温度に加熱される。続いて、外管と内管のアンニュラー部を上昇する過程において燃料改質反応を生じ、電池反応に必要なＣＯ及びＨ2 を主成分とする改質ガスになり電池反応を行う。燃料の改質反応は吸熱反応であり、電池反応により生じた反応熱のおおよそ５０％が改質反応（吸熱反応）に利用される。このように電池管内部で燃料加熱と改質が合理的に行われ、電池反応に適正条件が確保され電池反応が促進される。
【００２１】
一方、反応用空気は、電池室内部に設置された内部熱交において、電池反応熱の余剰熱を吸収して電池反応に適正な温度に加熱される。このように燃料及び空気共改質および電池反応に適正な条件が確保されるので、ＳＯＦＣは高効率発電を行うことができる。
【００２２】
（２）ガスタービンの高効率化（高出力化）
【００２３】
低温熱交における熱回収量を、高温度効率の低温熱交設置を設置による出口空気温度の上昇とテンパリングエア量の増加により増大することができる。一方、ガスタービンの効率はガスタービンの圧力比に依存するので、圧力比を最適化しガスタービン出力増加（ガスタービン入力の増加と高効率化）を達成することを、下記のシステム設計手法により可能にした。
【００２４】
低温熱交温度効率ηt ＝（出力空気温度−入口空気温度）／（入口ガス温度−
入口空気温度）×１００％である。
【００２５】
（ａ）高温熱交の廃止によるタービン入熱量の増加
【００２６】
内部熱交の設置によりＳＯＦＣへ供給する空気の必要温度を下げ、低温熱交のみで必要温度を得るように内部熱交を設置し、高温度効率の低温熱交を設置し、ガスタービン圧力比を最適化した。これにより高温熱交が不要になり、ガスタービン燃焼器に供給される排空気の温度低下が生じない。従って、ガスタービン燃焼器に導入する燃焼ガス温度の低下がないので、テンパリングエアの増加が必要となる（増加ができる）。テンパリングエア（ＳＯＦＣバイパス空気管で供給される低温熱交出口空気）の増加により低温熱交による熱回収量およびタービン駆動流体が増加する。即ち、タービン入熱量が増加する。
【００２７】
（ｂ）低温熱交における熱回収量の増加
【００２８】
ガスタービンの出力は、ガスタービンの入力が大きい程且つ効率が高い程大となる。低温熱交の出口空気温度がＳＯＦＣ内部熱交の要求温度に到達する条件の下で、熱回収量が最大となる温度効率の高い（現実的な最高温度効率ηRM＝９０〜９５％）再生熱交を設置し、テンパリングエアとして再生熱交出口空気を使用することにより、燃焼器出口ガス温度の低下（テンパリング効果）と共に熱回収量の増加を計った。
【００２９】
（ｃ）ガスタービンの効率向上
【００３０】
ガスタービンの理論サイクル効率ηGTは次式で表されるように、機械効率（次式における圧縮機効率ηC 、タービン効率ηT ）を一定とすれば、最高温度最低温度比τ（＝タービン入口温度Ｔ3 ／圧縮機入口温度Ｔ1 比）および圧力比φ（＝圧縮機出口圧力Ｐ2 ／圧縮機入口圧力Ｐ1 ）の関数である断熱膨張温度比ψ（＝タービン入口温度Ｔ3 ／タービンの断熱出口温度Ｔ4 ′）に依存する。
ここで、τは一定であるので、ガスタービン効率はψのみに依存する。
【００３１】
ηGT＝（τηC ηT −ψ)(１−１／ψ）／（ηC τ−ψ＋１−ηC ）
＝（Ｃ1 −ψ）（１−１／ψ)／（Ｃ2 −ψ）
【００３２】
理想サイクルではＣ1 ＝Ｃ2 であるから、理想サイクル（ブレートンサイクル）の効率は、
ηGT＝１−１／ψ＝１−１／φ(k-1)/k
即ち、圧力比を大きくすることによりガスタービン効率は向上する。
ψ＝Ｔ3 ／Ｔ4 ′＝φ(k-1)/k 、断熱指数ｋ（＝Ｃｐ／Ｃｖ）は一定である。
【００３３】
ＳＯＦＣに内部熱交を設置して、低温熱交出口温度を低下したことにより、低温熱交入口ガス温度Ｔ4 ′を下げることができる。即ち、圧力比の高いガスタービン設計が可能となり、ガスタービン効率を向上することができる。
【００３４】
以上のシステムおよび機器設計を行うことにより、一定燃料入熱に対しＳＯＦＣおよびガスタービンの出力が夫々最大となる最適運転条件を得ることができる。以下に具体的な実施形態例を説明する。
【００３５】
第１実施形態例
【００３６】
図１には本発明の第１実施形態例に係る燃料電池−ガスタービン発電設備を備えた複合発電設備の概略系統を示してある。
【００３７】
図に示すように、燃料電池−ガスタービン発電設備は、燃料電池としての固体電解質燃料電池（ＳＯＦＣ）１とガスタービン設備２とで構成されている。ガスタービン設備２は圧縮機３及び燃焼器１０及びガスタービン４及び発電機５で構成され、ガスタービン４の排ガスは低温熱交換器６１に送られる。
【００３８】
低温熱交換器６１では圧縮機３で圧縮された圧縮空気がガスタービン４の排ガスにより加熱（熱交換）される。低温熱交換器６１で熱回収された排ガスは排熱回収ボイラ６で更に熱回収されて煙突２１から大気に放出される。
【００３９】
ＳＯＦＣ１は、空気（酸素）と燃料ｆとを電解質を介して電池反応させて発電するものである。尚、図中の符号で２０はＳＯＦＣ１で得られた直流の電力を交流に変換する直交変換器である。
【００４０】
排熱回収ボイラ６では排ガスの排熱により蒸気を発生し、発生した蒸気は蒸気タービン７に送られて蒸気タービン７で動力が回収される。蒸気タービン７の排気蒸気は復水手段としての復水器８で復水され、復水は給水手段としての給水ポンプ９により排熱回収ボイラ６に給水される（複合発電設備）。
【００４１】
尚、排熱回収ボイラ６で熱回収される排ガスは低温熱交換器６１で熱回収された排ガスとなっているので、蒸気タービン７を駆動する高温の蒸気を発生することができない場合には、過熱手段を備える等して高温の蒸気を生成することができる。また、排熱回収ボイラ６で温水等を生成した場合には給湯設備等を適用することも可能である。
【００４２】
ＳＯＦＣ１へ供給される空気は、圧縮機３で圧縮され低温熱交換器６１で加熱された圧縮空気が送られる。低温熱交換器６１で加熱された圧縮空気は高温熱交換器６２で加熱されて空気供給管１２からＳＯＦＣ１へ供給される。ＳＯＦＣ１の電池室１ａで反応を終えた排空気は空気排出管１７から高温熱交換器６２に送られ、ＳＯＦＣ１の排空気により圧縮空気が加熱される。
【００４３】
高温熱交換器６２で熱回収された排空気は、燃焼器１０に供給される。一方、ＳＯＦＣ１の電池室１ａには燃料ｆが脱硫装置６３を介して硫黄分が除去された後に燃料供給管１４から供給され、反応を終えた未反応分を含有する排ガスは排ガス排出管１５から燃焼器１０に供給される。
【００４４】
低温熱交換器６１で加熱された圧縮空気の一部を燃焼器１０の入口側における排空気に合流させるバイパス路６４が設けられ、バイパス路６４にはバイパス空気制御弁６５が設けられている。つまり、圧縮機３で圧縮された圧縮空気の一部がバイパス空気制御弁６５で流量調整されて燃焼器１０に供給される。
【００４５】
圧縮機３で圧縮された圧縮空気の一部を燃焼器１０に供給することにより、燃焼器１０への供給空気量が増加してガスタービン４の出力を向上させることができる。そして、翼冷却構造等が設けられていない無冷却構造のガスタービン４であっても、燃焼温度をガスタービン４の入口温度（例えば、850 ℃〜900 ℃）に適した温度に維持することができる。
【００４６】
上記構成のガスタービン発電設備を備えた複合発電設備では、燃料供給管１４から燃料ｆがＳＯＦＣ１に供給されると共に、圧縮機３で圧縮されて低温熱交換器６１及び高温熱交換器６２で加熱された空気が空気供給管１２からＳＯＦＣ１に供給される。ＳＯＦＣ１では空気中の酸素及び燃料ｆの電池反応により発電が行われる。
【００４７】
未反応分を含有する排ガスは、排ガス排出管１５を経て燃焼器１０に供給される。未反応酸素を含有する排空気は高温熱交換器６２で熱回収されて燃焼器１０に供給される。
【００４８】
また、圧縮機３で圧縮された圧縮空気の一部がバイパス空気制御弁６５で流量調整されてバイパス路６４から燃焼器１０に供給される。燃焼器１０では、未反応分を含有する排ガスと未反応酸素を含有する排空気とが燃焼され、未反応燃料が燃焼して高温の燃焼ガスが生成される。
【００４９】
生成された燃焼ガス（排ガス）によりガスタービン４が作動し、ガスタービン４の排ガスが排熱回収ボイラ６で熱回収されて蒸気が発生される。発生した蒸気は蒸気タービン７に送られて動力が回収され、蒸気タービン７の排気蒸気は復水器８で復水されて給水ポンプ９により排熱回収ボイラ６に給水される。
【００５０】
上記構成の燃料電池−ガスタービン発電設備では、圧縮機３で圧縮された圧縮空気の一部がバイパス空気制御弁６５で流量調整されてバイパス路６４から燃焼器１０に供給されるので、燃焼器１０への供給空気量が増加してガスタービン４の出力を向上させることができる。そして、翼冷却構造等が設けられていない無冷却構造のガスタービン４は、燃焼温度をガスタービン４の入口温度（例えば、850 ℃〜900 ℃）に適した温度に維持することができる。
【００５１】
従って、ＳＯＦＣ１を適用することにより、ガスタービン４の機能を最大限に活用した燃料電池−ガスタービン発電設備及び複合発電設備とすることが可能になる。
【００５２】
第２実施形態例
【００５３】
図２には本発明の第２実施形態例に係る燃料電池−ガスタービン発電設備を備えた複合発電設備の概略系統を示してある。尚、図１に示した部材と同一部材には同一符号を付してある。第２実施形態例の燃料電池−ガスタービン発電設備は、高温熱交換器６２が設けられておらず、ＳＯＦＣの内部に空気を加熱する空気加熱管４５を備えた構成となっている。
【００５４】
図に示すように、燃料電池−ガスタービン発電設備は、燃料電池としての固体電解質燃料電池（ＳＯＦＣ）３１とガスタービン設備２とで構成されている。ガスタービン設備２は圧縮機３及び燃焼器１０及びガスタービン４及び発電機５で構成され、ガスタービン４の排ガスは低温熱交換器６１に送られる。
【００５５】
低温熱交換器６１では圧縮機３で圧縮された圧縮空気がガスタービン４の排ガスにより加熱（熱交換）される。低温熱交換器６１で熱回収された排ガスは排熱回収ボイラ６で更に熱回収されて煙突２１から大気に放出される。
【００５６】
ＳＯＦＣ３１は、空気（酸素）と燃料ｆとを電解質を介して電池反応させて発電するものである。尚、図中の符号で２０はＳＯＦＣ３１で得られた直流の電力を交流に変換する直交変換器である。
【００５７】
排熱回収ボイラ６では排ガスの排熱により蒸気を発生し、発生した蒸気は蒸気タービン７に送られて蒸気タービン７で動力が回収される。蒸気タービン７の排気蒸気は復水手段としての復水器８で復水され、復水は給水手段としての給水ポンプ９により排熱回収ボイラ６に給水される（複合発電設備）。
【００５８】
尚、排熱回収ボイラ６で熱回収される排ガスは低温熱交換器６１で熱回収された排ガスとなっているので、蒸気タービン７を駆動する高温の蒸気を発生することができない場合には、加熱手段を備える等して高温の蒸気を生成することができる。また、排熱回収ボイラ６で温水等を生成した場合には給湯設備等を適用することも可能である。
【００５９】
ＳＯＦＣ３１へ供給される空気は、圧縮機３で圧縮され低温熱交換器６１で加熱された圧縮空気が送られる。低温熱交換器６１で加熱された圧縮空気は空気供給管１２からＳＯＦＣ３１へ供給され、ＳＯＦＣ３１の内部に設けられた空気加熱管４５（詳細は後述する）で加熱されて反応空気とされる。
【００６０】
ＳＯＦＣ３１の電池室３９で反応を終えた排空気は空気排出管１７から燃焼器１０に供給される。一方、ＳＯＦＣ３１の電池室３９には燃料ｆが脱硫装置６３を介して硫黄分が除去された後に燃料供給管１４から供給され、反応を終えた未反応分を含有する排ガスは排ガス排出管１５から燃焼器１０に供給される。
【００６１】
低温熱交換器６１で加熱された圧縮空気の一部を燃焼器１０の入口側における排空気に合流させるバイパス路６４が設けられ、バイパス路６４にはバイパス空気制御弁６５が設けられている。つまり、圧縮機３で圧縮された圧縮空気の一部がバイパス空気制御弁６５で流量調整されて燃焼器１０に供給される。
【００６２】
圧縮機３で圧縮された圧縮空気の一部を燃焼器１０に供給することにより、燃焼器１０への供給空気量が増加してガスタービン４の出力を向上させることができる。そして、翼冷却構造等が設けられていない無冷却構造のガスタービン４は、燃焼温度をガスタービン４の入口温度（例えば、850 ℃〜900 ℃）に適した温度に維持することができる。
【００６３】
上記構成のガスタービン発電設備を備えた複合発電設備では、燃料供給管１４から燃料ｆがＳＯＦＣ３１に供給されると共に、圧縮機３で圧縮されて低温熱交換器６１で加熱された空気が空気供給管１２からＳＯＦＣ３１に供給される。ＳＯＦＣ３１では空気加熱管４５で供給空気が加熱された後空気中の酸素及び燃料ｆの電池反応により発電が行われる。
【００６４】
未反応分を含有する排ガスは、排ガス排出管１５を経て燃焼器１０に供給される。未反応酸素を含有する排空気は高温熱交換器６２で熱回収されて燃焼器１０に供給される。
【００６５】
また、圧縮機３で圧縮された圧縮空気の一部がバイパス空気制御弁６５で流量調整されてバイパス路６４から燃焼器１０に供給される。燃焼器１０では、未反応分を含有する排ガスと未反応酸素を含有する排空気とが燃焼され、未反応燃料が燃焼して高温の燃焼ガスが生成される。
【００６６】
生成された燃焼ガス（排ガス）によりガスタービン４が作動し、ガスタービン４の排ガスが排熱回収ボイラ６で熱回収されて蒸気が発生される。発生した蒸気は蒸気タービン７に送られて動力が回収され、蒸気タービン７の排気蒸気は復水器８で復水されて給水ポンプ９により排熱回収ボイラ６に給水される。
【００６７】
上記構成の燃料電池−ガスタービン発電設備では、圧縮機３で圧縮された圧縮空気の一部がバイパス空気制御弁６５で流量調整されてバイパス路６４から燃焼器１０に供給されるので、燃焼器１０への供給空気量が増加してガスタービン４の出力を向上させることができる。そして、翼冷却構造等が設けられていない無冷却構造のガスタービン４は、燃焼温度をガスタービン４の入口温度（例えば、850 ℃〜900 ℃）に適した温度に維持することができる。
【００６８】
そして、ＳＯＦＣ３１には空気加熱管４５が備えられているので、ＳＯＦＣ３１への供給空気の温度を低くすることができ、低温熱交換器６１を大型化して温度効率の高い設計にすることができる。低温熱交換器６１を大型化して温度効率の高い設計にすることで、ガスタービン４の排ガスの保有熱を圧縮機３の出口空気で回収する際に、大量の圧縮空気を必要温度状態にしてＳＯＦＣ３１側へ供給することができる。従って、圧縮機３で圧縮された圧縮空気の一部を燃焼器１０に供給しても、ＳＯＦＣ３１で必要な空気量を確保することができる。
【００６９】
このように、低温熱交換器６１の出口の空気を燃焼器１０に混入することにより、ガスタービン４の入口温度を適正温度に制御すると共に、ガスタービン４の排ガスからの熱回収量を最大とし、ＳＯＦＣ３１の出力を一定にした条件でガスタービン４の出力を最大にすることができる。
【００７０】
従って、ＳＯＦＣ３１を適用することにより、ガスタービン４の機能を最大限に活用した燃料電池−ガスタービン発電設備及び複合発電設備とすることが可能になる。
【００７１】
図３乃至図５に基づいて上述した複合発電設備のガスタービン発電設備に適用される空気加熱管４５を備えたＳＯＦＣ３１の詳細な構成を説明する。図３には複合発電設備のガスタービン設備に適用されるＳＯＦＣ３１の概略構成を表す斜視状況、図４には複合発電設備のガスタービン設備に適用されるＳＯＦＣ３１の概略断面、図５には電池管の詳細を表す断面を示してある。
【００７２】
図３、図４に示すように、ＳＯＦＣ３１は高温｛電解質がＹＳＺ（Yttria Stalized Zirconia）の場合は９００〜１０００℃｝で作動する燃料電池であり、断熱・保温材で内貼りされた容器（ケーシング）３２に収納される。ケーシング３２の内部は、上部より、燃料室管板３３、排ガス室管板３４、排空気室管板３５及び空気室管板３６で仕切られ、燃料室３７、排ガス室３８、電池室３９、排空気室４０及び空気室４１が形成されている。排空気室管板３５には電池室３９と排空気室４０とを連通する多数の排空気排出孔３５ａが設けられている。
【００７３】
電池室３９の内部には電池管４２が多数配設され、電池管４２は燃料外管４３と燃料内管４４の２重管構造で構成されている。２重管構造の電池管１２の燃料内管４４及び燃料外管４３はそれぞれ燃料室管板３３及び排ガス室管板３４で支持されている。
【００７４】
燃料内管４４は両端部が開放状態にされ、燃料外管４３は下端部が閉じられて上端部のみが開放状態にされている。燃料内管４４は両端が開放され上端部が燃料室３７に開口して配されると共に下端部が電池室３９に配されている。燃料外管４３は燃料内管４４の外側に配置され、下端部が燃料内管４４の開口を覆い上端部が排ガス室３８に開口している。燃料外管４３は多孔質状の材料で形成されている。
【００７５】
電池室３９の内部には両端が開口状態とされた空気加熱管４５が多数配設され、空気加熱管４５は排ガス室３８、排空気室管板３５及び空気室管板３６を貫通して下端が空気室４１に開口した状態で空気室管板３６に支持されている。空気加熱管４５の入口部にはそれぞれ絞り４６が設けられ、空気室４１からそれぞれの空気加熱管４５に供給される空気の圧力が均一に維持されるようになっている。
【００７６】
尚、均一に維持する機構としては、空気室４１の流路面積を変化させてそれぞれの空気加熱管４５に供給される空気の圧力を均一に維持する機構を採用することも可能である。
【００７７】
燃料室３７には燃料供給管１４が接続され、排ガス室３８には排ガス排出管１５が接続されている。また、排空気室４０には空気排出管１７が接続され、空気室４１には空気供給管１２が接続されている。
【００７８】
図３、図４に示すように、電池管４２の燃料外管４３の表面には燃料極、電解質、空気極を備えた電池５３が形成されている。そして、燃料極が燃料を改質する触媒となっており、電池管４２に送られた燃料が内部改質（吸熱反応）されるようになっている。
【００７９】
即ち、図５に示すように、電池管４２の燃料外管４３の表面には燃料極５５、電解質５６及び空気極５７を備えた電池５３が形成されている。燃料極５５は、例えば、ニッケルサーメットで構成され、燃料極５５自身が燃料を改質する触媒となっている。メタン等の燃料は多孔質状の燃料外管４３を通過して燃料極５５で改質されて水素が使用可能となる。空気中の酸素は電子を受けて酸素イオンとなり、電解質５６を燃料側に移動し、燃料極５５で電子を放出してＨ2 Ｏ及びＣＯ2 となり、発電が行われる。
【００８０】
尚、図５に点線で示したように、電池管４２の燃料内管４４の外側表面に改質用の触媒５９を設け、改質を促進することも可能である。
【００８１】
燃料供給管１４から燃料室３７に供給された燃料は燃料室３７から電池管４２の燃料内管４４に送られ、燃料内管４４の下端部で反転し燃料内管４４と燃料外管４３の間のアンニュラー部を上昇して排ガス室３８に送られる。燃料が燃料内管４４を下降する過程で電池反応による反応熱を吸収し、アンニュラー部の入口では電池反応に必要な温度に上昇すると共に一部改質が行われ電池反応熱を吸収する。アンニュラー部では改質反応と電池反応が行われる。
【００８２】
空気供給管１２から空気室４１に供給された空気は空気加熱管４５に送られて空気加熱管４５内を上昇する。空気供給管１２には空気排出管１７から分岐した排空気の一部が再循環管５１を経由して混入され、空気室４１の空気を昇温させる。空気は空気加熱管４５内を上昇する過程で電池反応熱を吸収し電池反応に必要な温度に加熱されて電池室３９に放出される。
【００８３】
放出された空気は、電池反応を行いながら電池室３９を下降し、排空気室管板３５の空気加熱管４５の貫通部周囲の間隙及び排空気排出孔３５ａを通って排空気室４０に送られる。
【００８４】
上記構成のＳＯＦＣ３１は、２重管構造の電池管４２を燃料が流れるようになっており、燃料内管４４を下降する過程で反応熱を吸熱し（加熱され）、アンニュラー部を上昇する過程では改質反応により吸熱する構造となっている。また、空気は空気加熱管４５を上昇する過程で反応熱を吸熱する機能を有する構造となっている。このため、燃料は最大の内部吸熱機能を有する構造である。
【００８５】
上述したＳＯＦＣ３１では、空気および燃料は必要な内部吸熱機能を有するので、空気室４１に供給する空気温度及び燃料室３７に供給する燃料温度をその分低下することができ、供給空気量を減少することができる。しかも、空気加熱管４５から電池室３９に放出される空気は適正温度レベルである。
【００８６】
また、上述したＳＯＦＣ３１では、電池管４２に燃料を通し電池室３９に空気を供給する構成としたが、燃料極５５と空気極５７を入れ替えた構造にすることにより電池管４２に空気を通し電池室３９に燃料を供給する構成とすることも可能である。この場合、空気加熱管４５は反応熱を吸熱できる適宜部位に設けられる。
【００８７】
上述した本実施形態例のＳＯＦＣ３１は、ＳＯＦＣ３１の内部空気加熱手段（空気加熱管４５）で余剰の電池反応熱を吸収して空気加熱を行うので、ＳＯＦＣ３１の入口空気温度を下げることができる。このため、供給空気量を減少することができる。空気加熱管４５を適正に分布させることにより、熱吸収の均等化が得られると共に、空気加熱管４５の数の適正化により電池室３９に放出される空気の温度は、電池反応に適正なレベルの温度が得られる。
【００８８】
このように、内部空気加熱方式により反応余剰熱を吸収して空気を加熱するので、ＳＯＦＣ３１への供給空気の温度を低下させることが可能になり、ＳＯＦＣ３１の冷却（反応熱除去）の観点から必要とする空気量を低減することにより、電池内部温度を制御し排空気および排ガスの保有熱を減少し排ガス損失を減少することができる。
【００８９】
また、電池管４２を二重管として燃料内管４４に燃料加熱機能を持たせたことにより、燃料加熱器を経ない低温の燃料を供給しても、電池反応熱を吸熱して電池反応部（燃料内管４４の下端部）に燃料が到達する前に電池反応に適正な温度レベルに昇温させることができる。
【００９０】
従って電池性能の低下を伴うことなく反応熱の吸熱除去（温度制御）が可能になり、反応熱排出のための空気量増加が減少し効率低下を避けることができる。
【００９１】
また、燃料極５５に改質機能を有する触媒材料を使用したので、燃料極５５で改質機能を持たせることができる。また、例えば、燃料内管４４の外面に改質触媒機能を有する材料（触媒５９）を塗布または混合することにより、内部改質機能を向上させることができ、改質し難い広範な燃料に対しても内部改質が可能となる。
【００９２】
尚、図１に示した燃料電池−ガスタービン発電設備のＳＯＦＣ１に代えて上述したＳＯＦＣ３１を設けることも可能である。この場合、空気加熱管４５を省略して排空気の一部を空気供給管１２に混入することだけで空気の温度を高める構造とすることも可能であり、空気加熱管４５を省略することで電池室３９の簡素化を図ることができる。
【００９３】
第３実施形態例
【００９４】
図６には本発明の第３実施形態例に係る燃料電池−ガスタービン発電設備を備えた複合発電設備の概略系統を示してある。尚、図１に示した部材と同一部材には同一符号を付してある。第３実施形態例の燃料電池−ガスタービン発電設備は、高温熱交換器６２が設けられておらず、空気排出管１７と空気供給管１２との間に反応を終えた高温の排空気の一部を再循環させる再循環管５１が設けられた構成となっている。
【００９５】
図に示すように、燃料電池−ガスタービン発電設備は、燃料電池としての固体電解質燃料電池（ＳＯＦＣ）１とガスタービン設備２とで構成されている。ガスタービン設備２は圧縮機３及び燃焼器１０及びガスタービン４及び発電機５で構成され、ガスタービン４の排ガスは低温熱交換器６１に送られる。
【００９６】
低温熱交換器６１では圧縮機３で圧縮された圧縮空気がガスタービン４の排ガスにより加熱（熱交換）される。低温熱交換器６１で熱回収された排ガスは排熱回収ボイラ６で更に熱回収されて煙突２１から大気に放出される。
【００９７】
ＳＯＦＣ１は、空気（酸素）と燃料ｆとを電解質を介して電池反応させて発電するものである。尚、図中の符号で２０はＳＯＦＣ１で得られた直流の電力を交流に変換する直交変換器である。
【００９８】
排熱回収ボイラ６では排ガスの排熱により蒸気を発生し、発生した蒸気は蒸気タービン７に送られて蒸気タービン７で動力が回収される。蒸気タービン７の排気蒸気は復水手段としての復水器８で復水され、復水は給水手段としての給水ポンプ９により排熱回収ボイラ６に給水される（複合発電設備）。
【００９９】
尚、排熱回収ボイラ６で熱回収される排ガスは低温熱交換器６１で熱回収された排ガスとなっているので、蒸気タービン７を駆動する高温の蒸気を発生することができない場合には、加熱手段を備える等して高温の蒸気を生成することができる。また、排熱回収ボイラ６で温水等を生成した場合には給湯設備等を適用することも可能である。
【０１００】
ＳＯＦＣ１へ供給される空気は、圧縮機３で圧縮され低温熱交換器６１で加熱された圧縮空気が送られる。低温熱交換器６１で加熱された圧縮空気は空気供給管１２からＳＯＦＣ１へ供給される。ＳＯＦＣ１の電池室１ａで反応を終えた排空気は空気排出管１７から燃焼器１０に供給される。
【０１０１】
空気排出管１７と空気供給管１２との間には反応を終えた高温の排空気の一部を再循環させる再循環管５１が設けられ、高温の排空気の一部が流量制御弁７１の制御により空気供給管１２に混入されてＳＯＦＣ１に供給される空気の温度が高められる。
【０１０２】
再循環管５１の合流部位における空気供給管１２にはエジェクター５２が設けられ、エジェクター５２により空気排出管１７と空気供給管１２に静圧差が形成される。エジェクター５２により形成される静圧差により空気排出管１７の排空気の一部が再循環管５１に導かれて空気供給管１２に送られる。
【０１０３】
尚、エジェクター５２に代えて再循環管５１に昇圧通風機等を設けることも可能である。
【０１０４】
一方、ＳＯＦＣ３１の電池室３９には燃料ｆが脱硫装置６３を介して硫黄分が除去された後に燃料供給管１４から供給され、反応を終えた未反応分を含有する排ガスは排ガス排出管１５から燃焼器１０に供給される。
【０１０５】
低温熱交換器６１で加熱された圧縮空気の一部を燃焼器１０の入口側における排空気に合流させるバイパス路６４が設けられ、バイパス路６４にはバイパス空気制御弁６５が設けられている。つまり、圧縮機３で圧縮された圧縮空気の一部がバイパス空気制御弁６５で流量調整されて燃焼器１０に供給される。
【０１０６】
圧縮機３で圧縮された圧縮空気の一部を燃焼器１０に供給することにより、燃焼器１０への供給空気量が増加してガスタービン４の出力を向上させることができる。そして、翼冷却構造等が設けられていない無冷却構造のガスタービン４は、燃焼温度をガスタービン４の入口温度（例えば、850 ℃〜900 ℃）に適した温度に維持することができる。
【０１０７】
上記構成のガスタービン発電設備を備えた複合発電設備では、燃料供給管１４から燃料ｆがＳＯＦＣ１に供給されると共に、圧縮機３で圧縮されて低温熱交換器６１で加熱された空気が空気供給管１２からＳＯＦＣ１に供給される。また、高温の排空気の一部が流量制御弁７１の制御により再循環管５１から空気供給管１２に混入されてＳＯＦＣ１に供給される。ＳＯＦＣ１では高温の排空気の一部が混入されて供給空気が加熱され、空気中の酸素及び燃料ｆの電池反応により発電が行われる。
【０１０８】
未反応分を含有する排ガスは、排ガス排出管１５を経て燃焼器１０に供給される。未反応酸素を含有する排空気は燃焼器１０に供給される。
【０１０９】
また、圧縮機３で圧縮された圧縮空気の一部がバイパス空気制御弁６５で流量調整されてバイパス路６４から燃焼器１０に供給される。燃焼器１０では、未反応分を含有する排ガスと未反応酸素を含有する排空気とが燃焼され、未反応燃料が燃焼して高温の燃焼ガスが生成される。
【０１１０】
生成された燃焼ガス（排ガス）によりガスタービン４が作動し、ガスタービン４の排ガスが排熱回収ボイラ６で熱回収されて蒸気が発生される。発生した蒸気は蒸気タービン７に送られて動力が回収され、蒸気タービン７の排気蒸気は復水器８で復水されて給水ポンプ９により排熱回収ボイラ６に給水される。
【０１１１】
上記構成の燃料電池−ガスタービン発電設備では、圧縮機３で圧縮された圧縮空気の一部がバイパス空気制御弁６５で流量調整されてバイパス路６４から燃焼器１０に供給されるので、燃焼器１０への供給空気量が増加してガスタービン４の出力を向上させることができる。そして、翼冷却構造等が設けられていない無冷却構造のガスタービン４は、燃焼温度をガスタービン４の入口温度（例えば、850 ℃〜900 ℃）に適した温度に維持することができる。
【０１１２】
そして、ＳＯＦＣ１には高温の排空気の一部が再循環管５１から混入されて供給空気の温度が高められて供給されるので、ＳＯＦＣ１への供給空気の温度を低くすることができ、低温熱交換器６１を大型化して温度効率の高い設計にすることができる。低温熱交換器６１を大型化して温度効率の高い設計にすることで、ガスタービン４の排ガスの保有熱を圧縮機３の出口空気で回収する際に、大量の圧縮空気を必要温度状態にしてＳＯＦＣ３１側へ供給することができる。従って、圧縮機３で圧縮された圧縮空気の一部を燃焼器１０に供給しても、ＳＯＦＣ１で必要な空気量を確保することができる。
【０１１３】
このように、低温熱交換器６１ので出口の空気を燃焼器１０に混入することにより、ガスタービン４の入口温度を低く制御すると共に、ガスタービン４の排ガスからの熱回収量を最大とし、ＳＯＦＣ１の出力を一定にした条件でガスタービン４の出力を最大にすることができる。
【０１１４】
従って、ＳＯＦＣ１を適用することにより、ガスタービン４の機能を最大限に活用した燃料電池−ガスタービン発電設備及び複合発電設備とすることが可能になる。
【０１１５】
第４実施形態例
【０１１６】
図７には本発明の第４実施形態例に係る燃料電池−ガスタービン発電設備を備えた複合発電設備の概略系統を示してある。尚、図１に示した部材と同一部材には同一符号を付してある。第４実施形態例の燃料電池−ガスタービン発電設備は、圧縮機及びガスタービンが高圧力比に設定され、低温熱交換器６１が設けられていない構成となっている。即ち、圧縮機及びガスタービンが高圧力比に設定され、圧縮機の圧縮空気とガスタービンの排気の間で熱交換する熱交換器が不要となる状態に設定されている。
【０１１７】
図に示すように、燃料電池−ガスタービン発電設備は、燃料電池としての固体電解質燃料電池（ＳＯＦＣ）１とガスタービン設備８１とで構成されている。ガスタービン設備８１は圧縮機８２及び燃焼器８３及びガスタービン８４及び発電機８５で構成され、ガスタービン８４の排ガスは排熱回収ボイラ６で熱回収されて煙突２１から大気に放出される。
【０１１８】
ＳＯＦＣ１は、空気（酸素）と燃料ｆとを電解質を介して電池反応させて発電するものである。尚、図中の符号で２０はＳＯＦＣ１で得られた直流の電力を交流に変換する直交変換器である。
【０１１９】
排熱回収ボイラ６では排ガスの排熱により蒸気を発生し、発生した蒸気は蒸気タービン７に送られて蒸気タービン７で動力が回収される。蒸気タービン７の排気蒸気は復水手段としての復水器８で復水され、復水は給水手段としての給水ポンプ９により排熱回収ボイラ６に給水される（複合発電設備）。
【０１２０】
ＳＯＦＣ１へ供給される空気は、圧縮機８２で圧縮され高温熱交換器６２で加熱された圧縮空気が送られる。高温熱交換器６２で加熱された圧縮空気は空気供給管１２からＳＯＦＣ１へ供給される。ＳＯＦＣ１の電池室１ａで反応を終えた排空気は空気排出管１７から高温熱交換器６２を経由して燃焼器８３に供給される。
【０１２１】
一方、ＳＯＦＣ１の電池室１ａには燃料ｆが脱硫装置６３を介して硫黄分が除去された後に燃料供給管１４から供給され、反応を終えた未反応分を含有する排ガスは排ガス排出管１５から燃焼器８３に供給される。
【０１２２】
圧縮機８２で圧縮された圧縮空気の一部を燃焼器８３の入口側における排空気に合流させるバイパス路６４が設けられ、バイパス路６４にはバイパス空気制御弁６５が設けられている。つまり、圧縮機８２で圧縮された圧縮空気の一部がバイパス空気制御弁６５で流量調整されて燃焼器８３に供給される。
【０１２３】
圧縮機８２で圧縮された圧縮空気の一部を燃焼器８３に供給することにより、燃焼器８３への供給空気量が増加してガスタービン８４の出力を向上させることができる。そして、翼冷却構造等が設けられていない無冷却構造のガスタービン８４は、燃焼温度をガスタービン８４の入口温度（例えば、850 ℃〜900 ℃）に適した温度に維持することができる。
【０１２４】
尚、図中の符号で８０は、圧縮機８２の圧縮空気をＳＯＦＣ１に供給して加圧する供給路である。
【０１２５】
上記構成のガスタービン発電設備を備えた複合発電設備では、燃料供給管１４から燃料ｆがＳＯＦＣ１に供給されると共に、圧縮機８２で圧縮されて高温熱交換器６２で加熱された空気が空気供給管１２からＳＯＦＣ１に供給される。ＳＯＦＣ１では空気中の酸素及び燃料ｆの電池反応により発電が行われる。
【０１２６】
未反応分を含有する排ガスは、排ガス排出管１５を経て燃焼器８３に供給される。未反応酸素を含有する排空気は高温熱交換器６２で熱回収されて燃焼器８３に供給される。
【０１２７】
また、圧縮機８２で圧縮された圧縮空気の一部がバイパス空気制御弁６５で流量調整されてバイパス路６４から燃焼器８３に供給される。燃焼器８３では、未反応分を含有する排ガスと未反応酸素を含有する排空気とが燃焼され、未反応燃料が燃焼して高温の燃焼ガスが生成される。
【０１２８】
生成された燃焼ガス（排ガス）によりガスタービン８４が作動し、ガスタービン８４の排ガスが排熱回収ボイラ６で熱回収されて蒸気が発生される。発生した蒸気は蒸気タービン７に送られて動力が回収され、蒸気タービン７の排気蒸気は復水器８で復水されて給水ポンプ９により排熱回収ボイラ６に給水される。
【０１２９】
上記構成の燃料電池−ガスタービン発電設備では、圧縮機８２で圧縮された圧縮空気の一部がバイパス空気制御弁６５で流量調整されてバイパス路６４から燃焼器８３に供給されるので、燃焼器８３への供給空気量が増加してガスタービン８４の出力を向上させることができる。そして、翼冷却構造等が設けられていない無冷却構造のガスタービン８４は、燃焼温度をガスタービン８４の入口温度（例えば、850 ℃〜900 ℃）に適した温度に維持することができる。そして、ＳＯＦＣ１には高温熱交換器６２で加熱された圧縮空気が供給されるので、ＳＯＦＣ１への供給空気の温度を低くすることができる。
【０１３０】
従って、ＳＯＦＣ１を適用することにより、ガスタービン８４の機能を最大限に活用した燃料電池−ガスタービン発電設備及び複合発電設備とすることが可能になる。
【０１３１】
第５実施形態例
【０１３２】
図８には本発明の第５実施形態例に係る燃料電池−ガスタービン発電設備を備えた複合発電設備の概略系統を示してある。尚、図２に示した部材と同一部材には同一符号を付してある。第５実施形態例の燃料電池−ガスタービン発電設備は、圧縮機及びガスタービンが高圧力比に設定され、低温熱交換器６１が設けられていない構成となっている。即ち、圧縮機及びガスタービンが高圧力比に設定され、圧縮機の圧縮空気とガスタービンの排気の間で熱交換を行なう熱交換器が不要となる状態に設定されている。
【０１３３】
図に示すように、燃料電池−ガスタービン発電設備は、燃料電池としての固体電解質燃料電池（ＳＯＦＣ）３１とガスタービン設備８１とで構成されている。ガスタービン設備８１は圧縮機８２及び燃焼器８３及びガスタービン８４及び発電機８５で構成され、ガスタービン８４の排ガスは排熱回収ボイラ６で熱回収されて煙突２１から大気に放出される。
【０１３４】
ＳＯＦＣ３１は、空気（酸素）と燃料ｆとを電解質を介して電池反応させて発電するものである。尚、図中の符号で２０はＳＯＦＣ３１で得られた直流の電力を交流に変換する直交変換器である。
【０１３５】
排熱回収ボイラ６では排ガスの排熱により蒸気を発生し、発生した蒸気は蒸気タービン７に送られて蒸気タービン７で動力が回収される。蒸気タービン７の排気蒸気は復水手段としての復水器８で復水され、復水は給水手段としての給水ポンプ９により排熱回収ボイラ６に給水される（複合発電設備）。
【０１３６】
ＳＯＦＣ３１へ供給される空気は、圧縮機８２で圧縮された圧縮空気が空気供給管１２からＳＯＦＣ３１へ供給され、ＳＯＦＣ３１の内部に設けられた空気加熱管４５で加熱されて反応空気とされる。圧縮機８２の出口温度が空気加熱管４５の入口における必要温度となるように、空気加熱管４５が設計されている。
【０１３７】
このような機器設計とすることにより、ＳＯＦＣ３１の入口側における高温熱交換器の設置が不要となり、システム構成を簡素化することができる。
【０１３８】
圧縮機８２で圧縮された圧縮空気の一部を燃焼器８３の入口側における排空気に合流させるバイパス路６４が設けられ、バイパス路６４にはバイパス空気制御弁６５が設けられている。つまり、圧縮機８２で圧縮された圧縮空気の一部がバイパス空気制御弁６５で流量調整されて燃焼器８３に供給される。
【０１３９】
圧縮機８２で圧縮された圧縮空気の一部を燃焼器８３に供給することにより、燃焼器８３への供給空気量が増加してガスタービン８４の出力を向上させることができる。そして、翼冷却構造等が設けられていない無冷却構造のガスタービン８４は、燃焼温度をガスタービン８４の入口温度（例えば、850 ℃〜900 ℃）に適した温度に維持することができる。
【０１４０】
上記構成のガスタービン発電設備を備えた複合発電設備では、燃料供給管１４から燃料ｆがＳＯＦＣ３１に供給されると共に、圧縮機８２で圧縮された高圧・高温の空気が空気供給管１２からＳＯＦＣ３１に供給される。ＳＯＦＣ３１では空気加熱管４５で供給空気が加熱された後空気中の酸素及び燃料ｆの電池反応により発電が行われる。
【０１４１】
未反応分を含有する排ガスは、排ガス排出管１５を経て燃焼器８３に供給される。未反応酸素を含有する排空気は燃焼器８３に供給される。
【０１４２】
また、圧縮機８２で圧縮された圧縮空気の一部がバイパス空気制御弁６５で流量調整されてバイパス路６４から燃焼器８３に供給される。燃焼器８３では、未反応分を含有する排ガスと未反応酸素を含有する排空気とが燃焼され、未反応燃料が燃焼して高温の燃焼ガスが生成される。
【０１４３】
生成された燃焼ガス（排ガス）によりガスタービン８４が作動し、ガスタービン８４の排ガスが排熱回収ボイラ６で熱回収されて蒸気が発生される。発生した蒸気は蒸気タービン７に送られて動力が回収され、蒸気タービン７の排気蒸気は復水器８で復水されて給水ポンプ９により排熱回収ボイラ６に給水される。
【０１４４】
上記構成の燃料電池−ガスタービン発電設備では、圧縮機８２で圧縮された圧縮空気の一部がバイパス空気制御弁６５で流量調整されてバイパス路６４から燃焼器１０に供給されるので、燃焼器８３への供給空気量が増加してガスタービン８４の出力を向上させることができる。そして、翼冷却構造等が設けられていない無冷却構造のガスタービン８４は、燃焼温度をガスタービン８４の入口温度（例えば、850 ℃〜900 ℃）に適した温度に維持することができる。
【０１４５】
そして、ＳＯＦＣ３１には空気加熱管４５が備えられ、圧縮機８２からは空気加熱管４５の入口温度に必要な高圧・高温の圧縮空気が供給されるので、特別な熱交換器等の機器が不要になり、システム構成を簡素化することができる。
【０１４６】
従って、ＳＯＦＣ３１を適用することにより、ガスタービン８４の機能を最大限に活用した燃料電池−ガスタービン発電設備及び複合発電設備とすることが可能になる。
【図面の簡単な説明】
【０１４７】
【図１】本発明の第１実施形態例に係る燃料電池−ガスタービン発電設備を備えた複合発電設備の概略系統図。
【図２】本発明の第２実施形態例に係る燃料電池−ガスタービン発電設備を備えた複合発電設備の概略系統図。
【図３】複合発電設備のガスタービン設備に適用されるＳＯＦＣ３１の概略構成を表す斜視図。
【図４】複合発電設備のガスタービン設備に適用されるＳＯＦＣ３１の概略断面図。
【図５】電池管の詳細を表す断面図。
【図６】本発明の第３実施形態例に係る燃料電池−ガスタービン発電設備を備えた複合発電設備の概略系統図。
【図７】本発明の第４実施形態例に係る燃料電池−ガスタービン発電設備を備えた複合発電設備の概略系統図。
【図８】本発明の第５実施形態例に係る燃料電池−ガスタービン発電設備を備えた複合発電設備の概略系統図。
【符号の説明】
【０１４８】
１，３１  固体電解質燃料電池（ＳＯＦＣ）
２，８１  ガスタービン設備
３，８２  圧縮機
４，８４  ガスタービン
５，８５  発電機
６  排熱回収ボイラ
７  蒸気タービン
８  復水器
９  給水ポンプ
１０，８３  燃焼器
１１  空気加熱器
１２  空気供給管
１４  燃料供給管
１５  排ガス排出管
１７  空気排出管
２０  直交変換器
２１  煙突
３２  容器（ケーシング）
３３  燃料室管板
３４  排ガス室管板
３５  排空気室管板
３５ａ  排空気排出孔
３６  空気室管板
３７  燃料室
３８  排ガス室
３９  電池室
４０  排空気室
４１  空気室
４２  電池管
４３  燃料外管
４４  燃料内管
４５  空気加熱管
４６  絞り
５１  再循環管
５２  エジェクター
５３  電池
５５  燃料極
５６  電解質
５７  空気極
５９  触媒
６１  低温熱交換器
６２  高温熱交換器
６３  脱硫装置
６４  バイパス路
６５  バイパス空気制御弁
７１  流量制御弁
８０  供給路
【図１】
2008078144.tif 000003
【図２】
2008078144.tif 000004
【図３】
2008078144.tif 000005
【図４】
2008078144.tif 000006
【図５】
2008078144.tif 000007
【図６】
2008078144.tif 000008
【図７】
2008078144.tif 000009
【図８】
2008078144.tif 000010